(57)【要約】【課題】  ヒータを具備することにより、足先を挿入したときでも被施療者が冷たさを感じることがなく、また、足温効果により血行促進を図ることのできる足用マッサージユニットを提供する。【解決手段】  被施療者の足先を収容する凹状受部20を有し、該凹状受部20に足先をマッサージするマッサージ手段30を具えた足用マッサージユニットにおいて、凹状受部20の底面に、ヒータ50を配置した。【選択図】  図２
2005237725.tif 000002
【特許請求の範囲】
【請求項１】
被施療者の足先を収容する凹状受部(20)を有し、該凹状受部(20)に足先をマッサージするマッサージ手段(30)を具えた足用マッサージユニットにおいて、
凹状受部(20)の底面に、ヒータ(50)を配置したことを特徴とする足用マッサージユニット。
【請求項２】
マッサージ手段(30)は、凹状受部(20)の底面に開設された孔(25)から上向きに突出する指圧棒(32)であって、ヒータ(50)は、孔(25)の周囲に配置される請求項１に記載の足用マッサージユニット。
【請求項３】
凹状受部(20)の底面には、周面に下向きに突設するリブ(26)を有する孔(25)が開設されており、マッサージ手段は、前記孔(25)から上向きに突出する指圧棒(32)であって、ヒータ(50)は、凹状受部(20)の底面の裏面側に配置して構成され、孔(25)から水が侵入してもヒータ(50)に直接水が掛からないようにした請求項１に記載の足用マッサージユニット。
【請求項４】
マッサージ手段(30)は、凹状受部(20)の底面に開設された孔(25)から上向きに突設する指圧棒(32)であって、ヒータ(50)は、指圧棒(32)の内部に配置される請求項１に記載の足用マッサージユニット。
【請求項５】
指圧棒(32)は、下端が底面エアバック(34)に連繋されており、底面エアバック(34)の膨縮によって、孔(25)から出没可能である請求項２乃至請求項４の何れかに記載のマッサージユニット。
【請求項６】
凹状受部(20)の側面に、ヒータを配置している請求項１乃至請求項５の何れかに記載の足用マッサージユニット。
【請求項７】
被施療者の足先を収容する凹状受部(20)を有し、該凹状受部(20)に足先をマッサージするマッサージ手段(30)を具えた足用マッサージユニットにおいて、
凹状受部(20)の側面に、ヒータを配置したことを特徴とする足用マッサージユニット。
【請求項８】
ヒータ(50)は、マッサージユニット(10)に電源を投入すると共に通電し、昇温を開始する請求項１乃至請求項７の何れかに記載の足用マッサージユニット。
【請求項９】
請求項１乃至請求項８の何れかに記載の足用マッサージユニット(10)を、被施療者の腰掛ける椅子の前方下部に配置したことを特徴とする椅子型マッサージ機。
【発明の詳細な説明】
【技術分野】
【０００１】
本発明は、被施療者の足先、特に足裏を暖めつつマッサージすることのできる足用マッサージユニット及びこれを具えた椅子型マッサージ機に関する。
【背景技術】
【０００２】
被施療者が足先を挿入して、特に足裏をマッサージできる足用マッサージユニットがある。その種足用マッサージユニットは、前後方向に延びる左右一対の凹状受部を有しており、凹状受部の底面にはエアバック等のマッサージ手段を配して構成される。被施療者は、足先を凹状受部に挿入し、マッサージ手段を作動させることによって、足裏のマッサージを受けることができる(例えば特許文献１参照)。
【０００３】
【特許文献１】特開２００２−２３８９６３号公報(全文)
【発明の開示】
【発明が解決しようとする課題】
【０００４】
凹状受部は、足先と接する部分が樹脂で構成されていたり、布等で被覆されているため、特に冬場、凹状受部に足先を挿入したときに冷たく、被施療者が不快感を感じることがあった。また、このような状態でマッサージを施しても血行促進効果を十分に発揮できなかった。
【０００５】
本発明の目的は、ヒータを具備することにより、足先を挿入したときでも被施療者が冷たさを感じることがなく、また、足温効果により血行促進を図ることのできる足用マッサージユニットを提供することである。
【課題を解決するための手段】
【０００６】
上記課題を解決するために、本発明の足用マッサージユニットは、
被施療者の足先を収容する凹状受部を有し、該凹状受部に足先をマッサージするマッサージ手段を具えた足用マッサージユニットにおいて、
凹状受部の底面や側面に、ヒータを配置したものである。
【発明の効果】
【０００７】
凹状受部の底面や側面にヒータを配置したことにより、凹状受部が暖められ、被施療者が足先を挿入したときに冷たく感じることはない。また、ヒータを作動させた状態で足先のマッサージを行なうことにより、足温効果による血行促進を図ることができ、マッサージ効果を高めることができる。
なお、マッサージを行なわずに、ヒータのみを作動させておくことにより、足温効果による血行促進のみを図ることもできる。
また、被施療者がマッサージユニットの電源をオンにすると共に、ヒータに通電し、凹状受部を予め暖かくすることにより、被施療者がマッサージを行なうために凹状受部に足先を挿入したときに冷たいと感じることはない。
【発明を実施するための最良の形態】
【０００８】
図１は、本発明の足用マッサージユニット(10)の斜視図、図２は、本発明の足用マッサージユニット(10)の布カバー(16)を除いた状態の平面図である。図１に示すように、足用マッサージユニット(10)は、樹脂製カバー(12)に、被施療者の足先(くるぶしよりも下の部分)を挿入する断面コ字状の左右一対の凹状受部(20)(20)が形成されている。凹状受部(20)(20)間は、図１及び図２に示すように中央壁(14)で仕切られており、中央壁(14)の上面には、被施療者が操作を行なうための操作パネル(70)が設けられている。また、凹状受部(20)の内面は、布カバー(16)で被覆されている。
【０００９】
図３は、図２の線Ｘ１−Ｘ１に沿う矢視断面図、図４は、図２の線Ｘ２−Ｘ２に沿う矢視断面図、図５は、図２の線Ｙ−Ｙに沿う矢視断面図である。
図１及び図５に示すように、凹状受部(20)の両側面には側面エアバック(21)(21)が取り付けられており、内面側を布カバー(16)で被覆している。側面エアバック(21)(21)は、連結ホース(65)によって連通しており、連結ホース(65)は、エア供給ホース(64)によって、電磁弁(62)及びポンプ(60)に接続されている。側面エアバック(21)は、ブロー成型により作られ、前後に夫々ひだ状の膨張部(21a)(21b)が形成されている。その他、ナイロン製の布地にウレタンシートをラミネートして作製することもできる。
連結ホース(65)は、図３に示すように、凹状受部(20)の底面の前方に設けられた凹み(65a)に配設されており、後述するヒータ(50)と凹状受部(20)の底面を介して熱交換可能に接近している。このように連結ホース(65)を配設することにより、連結ホース(65)を通って側面エアバック(21)に供給される圧縮空気を暖めることができ、温熱効果を高めることができる。
なお、図では、凹状受部(20)の両側面に夫々側面エアバック(21)(21)を設けているが、一方をスポンジ、ウレタン等の弾力性を有する弾性部材から作成することができる。
【００１０】
凹状受部(20)の底面は、図３に示すように、前方が高く、後方が低くなるように傾斜して構成されている。これは、被施療者が足先を入れたときに、足先の安定性を高めるためである。また、凹状受部(20)の後端には、足先が凹状受部(20)から脱落しないように立ち壁(23)が上向きに突設して形成されている。立ち壁(23)は、かかとが合致するように後方に向けて凹んだ形状をしている。立ち壁(23)は、２０〜５０ｍｍの高さとすることが望ましい。
凹状受部(20)の底面には、図２乃至５に示すように、被施療者の足裏をマッサージするマッサージ手段(30)が配備されている。マッサージ手段(30)として、図示の指圧棒(32)(32)を具えた手段を例示することができる。指圧棒(32)(32)は、凹状受部(20)の底面に開設された２つの長孔(25)(25)から先端が突出するよう配置されている。長孔(25)(25)は、凹状受部(20)の前後方向に延びるように開設されており、長孔(25)(25)の周囲には、下方に向けてリブ(26)が突設されている。
【００１１】
凹状受部(20)の底面の裏側には、ヒータ(50)が取り付けられている。ヒータ(50)として、ヒータ線をアルミ箔で包んだものを例示できる。ヒータ(50)は、図２、図３及び図５に示すように、上記長孔(25)(25)を囲むように配置することができる。上記のように、長孔(25)にリブ(26)を形成しておくことにより、被施療者が誤って水等を足用マッサージユニット(10)にこぼしてしまっても、ヒータ(50)には、直接水等が掛かることはない。従って、長孔(25)にリブ(26)を設けることにより、ヒータ(50)の防水を図ることができる。
【００１２】
マッサージ手段(30)は、図３及び図５に示すように、筺体(36)の内部から２つの指圧棒(32)(32)が突出した状態で、凹状受部(20)の底面の裏側に配置されている。筺体(36)の内部には、断面円形の指圧棒(32)(32)が２つ立設された矩形のプレート(33)を具え、該プレート(33)は、下部に配置された底面エアバック(34)上に載置されている。筺体(36)の上部開口は、後述する取付板(40)により閉じられており、取付板(40)に開設された孔(42)から指圧棒(32)が突出している。取付板(40)とプレート(33)の上面との間にはプレート(33)を下向きに付勢するバネ(35)が配置されており、底面エアバック(34)が収縮した状態ではプレート(33)は下向きに押されて、指圧棒(32)(32)の突出量が最小となっている。
底面エアバック(34)は、例えば、ナイロン製の布地にウレタンシートをラミネートしたものを用いることができる。底面エアバック(34)は、エア供給ホース(64)を介して、図４に示す電磁弁(62)及びポンプ(60)に接続されている。電磁弁(62)を開閉することにより、ポンプ(60)から圧縮空気を供給すると、底面エアバック(34)が膨張して、指圧棒(32)が上方に移動する。底面エアバック(34)から空気を抜くと、バネ(35)の付勢力によって、指圧棒(32)は下方に移動する。
【００１３】
樹脂製カバー(12)の底面は、左右の端部近傍に図５に示すように、上向きに隆起しており、マッサージ手段(30)をスライド可能に支持するレール部(28)(28)を形成している。なお、レール部(28)は、凹状受部(20)の底面の傾斜に合わせて、前方が高く、後方が低くなるように形成されている。
【００１４】
取付板(40)は、図５に示すように、左右方向に長い金属板から構成され、両端にレール部(28)(28)に嵌まり、レール部(28)(28)にスライド可能なガイド(41)(41)が設けられている。取付板(40)には、夫々左右のマッサージ手段(30)(30)の筺体(36)(36)がネジ止めされており、指圧棒(32)(32)が突出する孔(42)(42)が開設されている。取付板(40)の上面中央には、送りナット(43)がナット固定具(44)によって固定されている。送りナット(43)には、後述する送りネジ(45)が噛合した状態で貫通しており、送りネジ(45)の回転により、取付板(40)は、レール部(28)(28)上を前後方向に移動可能となっており、取付板(40)に取り付けられたマッサージ手段(30)(30)を前後に往復可能としている。
【００１５】
凹状受部(20)(20)間、即ち、樹脂製カバー(12)の中央壁(14)の内部には、図４及び図５に示すように、マッサージ手段(30)を前後に移動させる送りネジ(45)が、前後方向に延びるよう配置されている。送りネジ(45)は、図４に示すように、凹状受部(20)の底面に合わせて傾斜するように、樹脂製カバー(12)内に設けられたフレーム(46)に支持されており、送りネジ(45)の後端に設けられたプーリ(45a)がベルト(47a)を介してモータ(47)のプーリ(47b)と動力伝達可能に連繋されている。モータ(47)を正回転又は逆回転させることにより、送りネジ(45)が正回転又は逆回転し、送りネジ(45)に取り付けられた送りナット(43)が送りネジ(45)上を移動し、マッサージ手段(30)(30)が前後に往復可能となっている。
【００１６】
ヒータ(50)のオン、オフや、底面エアバック(34)、側面エアバック(21)の膨張、収縮、マッサージ手段(30)の位置の制御は、中央壁(14)の上面に設けられた操作パネル(70)によって行なわれ、さらに、これらを動作させる電磁弁(62)、エアポンプ(60)及びモータ(47)の制御は、図４に示すように操作パネル(70)の下側に配備された制御手段(71)によって行なわれる。
操作パネル(70)は、図６に示すように、電源スイッチとなる「運転入／切」ボタン(73)、自動マッサージコースを選択する操作ボタン(74)(74)、手動マッサージの種類を選択する操作ボタン(74a)(74a)、マッサージ手段(30)の位置を制御する操作ボタン(74b)、マッサージ手段(30)の強さを選択する操作ボタン(74c)、ヒータ(50)の入り、切りを制御する「温熱」ボタン(75)、被施療者の足の大きさに応じて、所望の範囲でマッサージ手段(30)を移動させる「足サイズ」ボタン(76)等が配置されている。また、各ボタンには、どの操作が行なわれているかを視覚的に認識できるように、ボタンの横にＬＥＤの点灯、点滅による表示部(77)(77)が設けられている。
【００１７】
上記構成の足用マッサージユニット(10)について、被施療者が「運転入／切」ボタン(73)を押すと、まず、ヒータ(50)に通電が行なわれ、「温熱」ボタン(75)の横のＬＥＤ表示部(77)が点灯する。ヒータ(50)が昇温することにより、凹状受部(20)の底面が暖められる。
「運転入／切」ボタン(73)が押されると同時にヒータ(50)に通電を行なうことにより、被施療者が凹状受部(20)に足先を挿入する前に凹状受部(20)が暖められるので、凹状受部(20)に足先を挿入したときに被施療者が冷たいと感じることはない。なお、ヒータ(50)が不要の場合は、「運転入／切」ボタン(73)を押した後、「温熱」ボタン(75)を押せば、ヒータ(50)への通電が停止し(ＬＥＤ表示部(77)も消灯する)、ヒータ(50)は昇温しない。また、「温熱」ボタン(75)を押さなくとも、所定時間(例えば１５分間)経過すると、ヒータ(50)への通電は終了するように設定してもよい。
【００１８】
この状態で、被施療者は足先を凹状受部(20)に挿入する。例えば、睡眠前等に、足先が冷えており、足先を暖めたい場合には、ヒータ(50)のみを昇温させた状態で足先を挿入すればよい。これにより、被施療者の足裏は、温熱施療効果により暖められ、血行が良くなる。
特に、ヒータ(50)を凹状受部(20)の底面全面に配置するのではなく、図２に示す如く、足裏の外周部分に配置することにより、末端部分から足裏を暖めて、血行を促進することができる。
【００１９】
被施療者が足先を凹状受部(20)に挿入し、立ち壁(23)にかかとを押しつけた状態で、操作ボタン(74)を操作することにより、操作した操作ボタンに対応した各種の足先マッサージを受けることができる。
足先のマッサージは、マッサージ手段(30)の指圧棒(32)による指圧マッサージと、足の甲からくるぶしに亘る足先の側面を側面エアバック(21)で押圧する押圧マッサージ、指圧棒(32)を突出して前後に移動させることによるローリングマッサージ、さらに、これらを組み合わせたマッサージを例示できる。
【００２０】
指圧マッサージは、底面エアバック(34)を膨張、収縮し、指圧棒(32)を凹状受部(20)の底面から出没させることにより行なうことができる。また、指圧棒(32)の出没と共に、指圧棒(32)を操作ボタン(74b)を操作して所望の位置に移動させたり、前後に往復移動させることにより、足裏、特に土踏まずや足指の付け根に効果の高い指圧マッサージを行なうことができる。指圧マッサージの際に、ヒータ(50)により被施療者の足先を暖めることにより、温熱施療効果と指圧施療効果により、施療効果を増大させることができる。
底面エアバック(34)の膨張、収縮は、電磁弁(62)の開閉及びポンプ(60)の駆動により行なうことができる。また、指圧棒(32)の前後移動は、モータ(47)の駆動により行なうことができる。
なお、「足サイズ」ボタン(76)は、被施療者毎に異なる足サイズを選択するボタンであり、被施療者の足サイズを選択することにより、自動マッサージコースやローリングマッサージの際に、足サイズに応じて、指圧棒(32)の移動範囲が決定されるようにしている。図２に被施療者の足形の例を符号(29)で示している。
【００２１】
指圧マッサージは、足裏を指圧棒(32)で押し上げるマッサージであるため、被施療者の足が凹状受部(20)から浮き上がってしまう。従って、指圧マッサージを行なう場合には、側面エアバック(21)を膨張させて、足先を側面エアバック(21)(21)によって挟んで浮き上がらないようにすることが望ましい。側面エアバック(21)に圧縮空気を送給する連結ホース(65)は、ヒータ(50)に接しているため、供給される圧縮空気が熱され、側面エアバック(21)に暖かい空気を供給でき、足裏だけでなく、足の甲からくるぶしに亘る部分を暖めることができる。
【００２２】
押圧マッサージは、側面エアバック(21)を膨張、収縮させることにより、足の先端からくるぶしに亘る足先の側面を側面エアバック(21)(21)によって挟み込み、押圧するマッサージである。側面エアバック(21)の膨張、収縮は、電磁弁(62)の開閉及びポンプ(60)の駆動により行なうことができる。側面エアバック(21)に圧縮空気を送給する連結ホース(65)は、ヒータ(50)に接しているため、供給される圧縮空気が熱され、側面エアバック(21)に暖かい空気を供給でき、ヒータ(50)による足裏への温熱施療効果に加えて、足裏だけでなく、足の甲からくるぶしに亘る部分への温熱施療効果も得ることができる。
上記押圧マッサージは、温熱施療効果と押圧施療効果により、施療効果を増大させることができる。
【００２３】
指圧マッサージと押圧マッサージを組合せたマッサージを行なう場合には、上記動作を同時に行なえばよい。なお、この場合にも、ヒータ(50)により被施療者の足裏、さらに、側面エアバック(21)により足の甲からくるぶしに亘る部分を暖めることにより、温熱施療効果が加わり、施療効果を増大させることができる。
【００２４】
自動マッサージコースは、指圧マッサージや押圧マッサージ、ローリングマッサージが適宜決められたプログラムに従って実施される。
ここでローリングマッサージを行なう際、指圧棒(32)の移動開始と同時に底面エアバック(34)を膨張させて指圧棒(32)を突出させてゆき、即ち、移動中に徐々に指圧棒(32)を突出してゆき、やがて突出両は一定となって移動し続け、逆に移動終了位置の所定前まで達したときに、底面エアバック(34)の排気を開始し、指圧棒(32)を引っ込ませてゆくことにより、滑らかな指圧が得られ、心地よいローリングマッサージとなる。指圧棒(32)の復路についても同様である。
なお、これら各種マッサージは、所定時間経過すると自動的に終了するように設定することが望ましい。
【００２５】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能である。
【００２６】
例えば、マッサージ手段(30)は、上記実施例に限定されず、エアバックのみを用いたものや、バイブレーション型のもの等を用いてもよい。
足用マッサージユニット(10)は、上記実施例の如く単体で用いてもよいし、被施療者の腰掛ける椅子の前方下部に配置して椅子型マッサージ機を構成してもよい。椅子には、所望により、背凭れや座部等に種々のマッサージ手段を配置することができる。
また、被施療者のふくらはぎをマッサージするマッサージユニットと足用マッサージユニット(10)を連結したマッサージユニットを構成することもできる。
【００２７】
さらに、ヒータ(50)は、凹状受部(20)の底面に配置しているが、図７に示すように、指圧棒(32)の内部にヒータ(50)を配置するようにしてもよい。ヒータ(50)の配線(52)は、指圧棒(32)の内部から引き出されている。また、凹状受部(20)の側面の一方又は両方にヒータを配置するようにしてもよい。勿論、これらを組み合わせてもよい。
指圧棒(32)は、凹状受部(20)を前後方向に移動可能に配置しているが、移動しない構成としてもよい。この場合、長孔(25)は、指圧棒(32)の形状に合わせた孔、例えば、丸孔にすればよい。
【産業上の利用可能性】
【００２８】
本発明の足用マッサージユニットは、凹状受部にヒータを具備しているため、被施療者が足先を挿入したときに冷たいと不快感を感じることがなく、また、ヒータによる温熱施療効果により、施療効果を増大できるマッサージユニットとして有用である。
【図面の簡単な説明】
【００２９】
【図１】本発明の足用マッサージユニットの斜視図である。
【図２】足用マッサージユニットの布カバーを除いた状態の平面図である。
【図３】図２の線Ｘ１−Ｘ１に沿う矢視断面図である。
【図４】図２の線Ｘ２−Ｘ２に沿う矢視断面図である。
【図５】図２の線Ｙ−Ｙに沿う矢視断面図である。
【図６】操作パネルの平面図である。
【図７】指圧棒にヒータを配備したマッサージ手段の要部拡大図である。
【符号の説明】
【００３０】
(10)  足用マッサージユニット
(20)  凹状受部
(30)  マッサージ手段
(32)  指圧棒
(34)  底面エアバック
(50)  ヒータ
【図１】
2005237725.tif 000003
【図２】
2005237725.tif 000004
【図３】
2005237725.tif 000005
【図４】
2005237725.tif 000006
【図５】
2005237725.tif 000007
【図６】
2005237725.tif 000008
【図７】
2005237725.tif 000009